(57)【要約】【課題】虫刺されによる皮膚下の毒物、皮膚などの化膿による膿、介護用の口腔内の痰、高粘度の試料などを化膿の状況、痰の詰まり具合、粘性の状況などが親指で敏感に感じて力加減を微妙に調整しながら吸引することができ、手軽に手動で強力に吸引することを可能とする。【解決手段】シリンダー３の下から挿入したピストン１をシリンダー３の上から挿入した押出棒４を親指で押すことにより、シリンジ室５に真空状態が発生することによる負圧を利用することによりピストン１の中心に設けた吸引管を通じてシリンジ室５に吸引することを特徴とする注射器型吸引器である。ピストン１の中心に設けた吸引管のシリンジ室５への出口部分にピストン１の押出棒４によって塞がないようにするために空洞を設けたキャップ２を被せて接着固定し、吸引した物がシリンジ室５に吸引可能にすることを特徴とする注射器型吸引器である。【選択図】図２
2006346052.tif 000002
【特許請求の範囲】
【請求項１】
シリンダー３の下部からピストン１を挿入・取り出すことを可能とし、シリンダー３の上部はピストン１の押出棒４を挿入するための挿入口を設け、シリンジ室５が密閉された状態になるように構成されたシリンダー３を用いることを特徴とする注射器型吸引器。
【請求項２】
ピストン１の中心に吸引口となる先端からシリンジ室５に通じる吸引管（空洞）を設けることを特徴とした請求項１記載の注射器型吸引器。
【請求項３】
ピストン１には、シリンジ室５への吸引管出口を押出棒４により塞がないようにするため、椀を裏返したようなキャップ２に空洞を設け、シリンジ室側吸引出口の上に被せて、接着固定することを特徴とした請求項１記載の注射器型吸引器。
【発明の詳細な説明】
【技術分野】
【０００１】
この発明は、虫刺されによる毒素や皮膚の化膿による膿などの吸引、高粘度の試料の吸引、吸引口にホースを接続することにより介護用の口腔内の清掃などのために吸引ができるとともに、片手操作により吸引力を機敏に調整しながら吸引できる注射器型吸引器の形状に関する。
【背景技術】
【０００２】
従来、日常生活において虫に刺された時の応急処置としては口により吸引し、吐き出して薬剤を塗布するのが一般的で、重傷の場合は、その後医者の世話になることが一般的であった。
【０００３】
皮膚などの化膿による膿は、通院し、医者によりメスで切除するか指で絞って除去されていた。
【０００４】
乳児の鼻詰まりを解消するために鼻汁を取り除き、または毛穴に詰まった老廃物を取り除くものとして考案された注射気型吸引機は、シリンダー内のピストンを引き抜くことによりシリンダーの吸引口から吸引するものである。
【特許文献１】特開２００３−０５２８０７
【０００５】
介護用の口腔内の痰などの吸引に用いる吸引器は、一般に電動式を用いられているのが周知のとおりである。
【０００６】
粘土の高い試料を吸引することや、試料の吸引を停止させることが困難であったとして考案された試料吸引吐出装置は、ラックや歯車などの部品を用いていた。
【特許文献２】特開２００１−００４５００
【発明の開示】
【発明が解決しようとする課題】
【０００７】
虫刺されによる治療には、即時に毒を除去することが重要である。
【０００８】
皮膚の化膿による治療には、医者がメスを用いて皮膚を最小限に切り皮膚内の膿を除去するか、または指で化膿した部分を強く絞り込み膿を除去していたので痛みを伴っていた。
【０００９】
乳児の鼻詰まりを解消するために鼻汁を取り除くなどのために開発された特開２００３−０５２８０７の注射器型吸引器は、注射器を反対に持ちかえシリンダーの横に固定したレバーを親指で押すことによりシリンダーからピストンを引き抜く方向に作動させて吸引するものであるのでピストンの進行方向とレバーの進行方向が平行になっている。そのため、操作方法が煩瑣で、ピストンの中心の延長線上から押すことができないので親指の力の微妙な調節及び強力な吸引が困難である。
【００１０】
介護用の電動式の吸引器は、騒音を伴い、吸引力の調整が困難であり、高価である。
【００１１】
粘度の高い試料を吸引するなどのために開発された特開２００１−００４５００の試料吸引吐出装置は、本発明の注射器型吸引器に比して構造が複雑であるため、安価で維持管理のし易い簡易な構造にすることが重要である。
【００１２】
そこで、この発明は、虫刺されによる毒素や皮膚の化膿による膿などの毒物を簡易に、かつ即時に効率よく除去し、高粘度の試料を強力かつ簡易に微妙な調整をしながら強力に吸引することができ、小さく軽量、構造が簡単、片手操作により利便性に優れた吸引器を提供することを課題とする。
【課題を解決するための手段】
【００１３】
以上の課題を解決するために、シリンダー３の頭部からピストンの押出棒４を挿入し、シリンダー３の底からピストン１を挿入することによりそのピストン１の中心の吸引管からシリンジ室５の空気を吐き出しながらシリンジ室５を最小にし、吸引の操作は、親指で押出棒４を押すことによりピストン１を押し出すことになり、シリンジ室５に負圧が生じ、ピストン１の中心に設けた吸引管を通じて吸引することを特徴とする。この場合、ピストン１のシリンジ室５への吸引出口には、押出棒４により塞がないようにするための空間を設けたキャップ２を接着固定するものとする。
【発明の効果】
【００１４】
本発明に係る注射器型吸引器を用いれば、注射器を逆転応用したことにより吸引箇所から押出棒４までの部品が少なく、力の伝達が直線的であるので、化膿の状況、粘性の状況、痰の詰まり具合などが親指で敏感に感じることができ、力加減を微妙に調整しながら、かつ強力に吸引することができる。
また、構造が単純かつ小型であるので、安価で、臨機応変に片手で簡単に使用できる。
【発明を実施するための最良の形態】
【００１５】
図１は、本発明の吸引前の状態を示す注射器型吸引器の斜視図である。
図２は、本発明の吸引後の状態を示す注射器型吸引器で、ガラス製又はプラスチック製で構成されており、シリンダー３の縦半分切欠斜視図である。
シリンダー３は、シリンジ室５の機密性を確保するため、注射器同様に内壁とピストン１は密着させ、滑りやすい構造とし、上部の入口部分の内壁とピストンの押出棒４も同様に、密着させ、滑りやすい構造とする。
更に、シリンダー３の上部は、シリンジ室５の機密性を向上させるためシリンダー上部の押出棒４を挿入する入口の内壁の延長を長くし、押出棒４の横ぶれを防止するため厚い構造とする。
シリンダー３の上部には、強力に吸引し易く操作するため外側に親指と人差し指が引っかかり易いようにフランジ機能をもたせる。
シリンダー３におけるピストンの押出棒を挿入するための入口部分及びキャップ２を接着固定したピストン１を挿入させる入口部分は、それぞれ挿入し易くするために丸みをもたせるものとする。
【００１６】
ピストン１には、中心にシリンジ室５へ吸引するための吸引管を設け、先端の吸引口部分は、患部などへの直接の接着又はホースを装着し易くするために細くする。
【００１７】
図２において、キャップ２は、椀を裏返した状態で椀の裏の中心が押出棒４に接するようにし、ピストン１の吸引管の上部に被せてピストン１に接着固定するものとする。
図３は、図２におけるＡ−Ａ｀の断面図で、キャップ２の空間を通じてピストン１の中心の吸引管からシリンジ室５に吸引され、図４は、図２におけるＢ−Ｂ｀の断面図で、キャップ２によりピストン１の中心の吸引管に押出棒４が塞がないように支える構造とする。
【００１８】
口腔内の痰などの吸引には、ピストン１の吸引口にホースを差し込んで利用するものとする。
【００１９】
図５は、吸引前の実施形態で図２のＢ−Ｂ｀を示す断面図である。
吸引した物を吐き出す場合は、両手操作によりピストン１をシリンダー３の上部へ押し上げ、吸引前の状態に戻すことによりピストン１の吸引口から吐き出すものとする。
【図面の簡単な説明】
【００２０】
【図１】本発明の吸引前の実施形態を示す注射器型吸引器の斜視図である。
【図２】本発明の吸引後の実施形態におけるシリンダー３の縦半分の切欠斜視図である。
【図３】本発明の吸引後の実施形態において図２のＡ−Ａ｀を示す断面図である。
【図４】本発明の吸引後の実施形態において図２のＢ−Ｂ｀を示す断面図である。
【図５】本発明の吸引前の実施形態で図２のＡ−Ａ｀を示す断面図である。
【符号の説明】
【００２１】
１  ピストン
２  キャップ
３  シリンダー
４  押出棒
５  シリンジ室
【図１】
2006346052.tif 000003
【図２】
2006346052.tif 000004
【図３】
2006346052.tif 000005
【図４】
2006346052.tif 000006
【図５】
2006346052.tif 000007